(57)【要約】【課題】電波法の規制を遵守しながらも、回路構成の簡素化と信頼性の確保とを両立することができる無線通信装置を提供する。【解決手段】水晶振動子３を介して発振用トランジスタＴｒのベースに繋がる入力ラインＬｉｎに変調制御ライン５を接続する。変調制御ライン５をマイコンの出力ポートに接続し、この出力ポートからの制御信号をＨｉ，Ｌｏで切り換えることにより、出力端子ＯＵＴから出力される発振信号を交互に切り換える。制御信号をＨｉ，Ｌｏで切り換える切り換えタイミングを、電波法の規制を遵守する時間間隔に設定する。【選択図】　　　図１
2004096561.tif 000002
【特許請求の範囲】
【請求項１】
発振信号を送信可能な送信器と、この送信器からの発振信号を受信可能な受信器とを備えた無線通信装置において、
上記送信器は、発振回路に備えられた発振用トランジスタに対するバイアスポイントを、予め定められた複数のバイアスポイント同士の間で所定時間間隔毎に切り換えるバイアス切換手段を備えていることを特徴とする無線通信装置。
【請求項２】
請求項１記載の無線通信装置において、
送信器は、水晶振動子を備えたコルピッツ型のクリスタル発振回路を備えており、
バイアス切換手段は、水晶振動子の入力ラインに接続されて制御信号を複数段階で切り換えることにより、発振用トランジスタに対するバイアスポイントを切り換えるよう構成されていることを特徴とする無線通信装置。
【請求項３】
請求項２記載の無線通信装置において、
バイアス切換手段は、水晶振動子の入力ラインに接続された抵抗を有する変調制御ラインを備えており、この変調制御ラインに対する制御信号のＨｉ，Ｌｏを切り換えることにより発振用トランジスタに対するバイアスポイントを切り換えるよう構成されていることを特徴とする無線通信装置。
【請求項４】
請求項１、２または３記載の無線通信装置において、
バイアス切換手段によって切り換えられる各バイアスポイントの継続時間は、電波法で規制される制限時間よりも短く設定されていることを特徴とする無線通信装置。
【請求項５】
請求項１〜４のうち何れか一つに記載の無線通信装置において、
受信器は、発振用トランジスタに対するバイアスポイントの切り換に伴って変化する発振信号の周波数の全帯域をカバーする周波数帯の発振信号を受信可能に構成されていることを特徴とする無線通信装置。
【発明の詳細な説明】
【０００１】
【発明の属する技術分野】
本発明は、送信器及び受信器を備えた無線通信装置に係る。特に、本発明は、法規制を遵守しながらも、無線通信装置の回路構成の簡素化と信頼性の確保とを両立する対策に関する。
【０００２】
【従来の技術】
従来より、例えば下記の特許文献１に開示されている自動ドアには、ドアの開放動作を開始させるためのタッチ式の起動スイッチが備えられている。つまり、人が起動スイッチを押すことにより、このスイッチがＯＮ作動してドアの開放動作が行われるようになっている。
【０００３】
具体的に、この種の起動スイッチは、ドアに取り付けられたスイッチ本体の内部に送信器が備えられている一方、無目等に取り付けられたコントローラの内部に受信器が備えられている。そして、人がスイッチ本体を押すことにより送信器から所定周波数の発振信号が送信され、この発振信号を受信器が無線受信する。これによってドア開放用のモータが起動してドアの開放動作が開始される。また、この種の自動ドアは、ドアが開放された後、ドア開口部に人体などの物体が存在しない状態が所定時間継続された場合に、自動的に閉鎖される。
【０００４】
ところで、上記自動ドアの起動スイッチや防犯用センサ等のように送信器と受信器との間で信号の送受信を行う無線機器は、電波法の規制により、同一周波数の発振信号を長時間継続して出力することが禁止されている。
【０００５】
解決策として、周波数の異なる複数の発振信号を利用する、マルチチャンネル方式による通信がある。つまり、無線機器毎に利用可能な周波数帯が複数割り当てられており、これら周波数帯の発振信号を所定時間毎に切り換えることにより同一周波数の発振信号を継続して出力しなくとも受信器への連続送信が行えるようにしている。具体的には、例えば下記の特許文献２に開示されているようなＰＬＬ（Ｐｈａｓｅ　Ｌｏｃｋｅｄ　Ｌｏｏｐ）周波数シンセサイザを使用し、短時間（例えば数秒間）毎に発振信号の周波数を複数のチャンネルに切り換えるようにしている。一方、受信器側では、送信器の発振周波数チャンネルの切り換えタイミングに同期して受信すべき周波数を切り換えていき、送信器からの発振信号が正確に受信できるようになっている。
【０００６】
【特許文献１】
特開２０００−９０７６８号公報
【特許文献２】
特開平１０−１４５２２９号公報
【０００７】
【発明が解決しようとする課題】
しかしながら、上記ＰＬＬ周波数シンセサイザを使用して発振信号の周波数を複数に切り換える方式では、分周回路、位相比較回路、ループフィルタ等の回路構成部品を必要とする。このため、部品点数の増大、回路構成の複雑化、それに伴う製造コストの高騰、更には消費電力の増大を招くといった不具合があった。
【０００８】
これら不具合を解消するために、送信器からは単一周波数の発振信号のみを出力する簡素な構成を採用し、しかも上記電波法の規制を遵守すべく、所定時間毎に休止期間（発振信号の出力を強制的にキャンセルする期間）を設けることにより同一周波数の発振信号が長時間継続して出力されることがないようにすることが考えられる。
【０００９】
ところが、この方式を上記自動ドアの起動スイッチに適用した場合、人がスイッチ本体を数秒間に亘って押し続けたり、連続して多数回押したりした場合に、スイッチ本体が押されているにも拘わらず送信器からは発振信号が送信されなくなるといった状況を招くことがある。これでは、自動ドアに所望の動作を行わせることができなくなる可能性があり、自動ドアの信頼性を十分に確保することができなくなってしまう。
【００１０】
このような不具合は、自動ドアの起動スイッチばかりでなく、防犯用センサや防犯カメラ起動用センサ等のような送信器と受信器との間で信号の送受信を行う無線機器であれば同様に生じてしまう可能性がある。
【００１１】
本発明は、かかる点に鑑みてなされたものであり、その目的とするところは、電波法の規制を遵守しながらも、回路構成の簡素化と信頼性の確保とを両立することができる無線通信装置を提供することにある。
【００１２】
【課題を解決するための手段】
−発明の概要−
上記の目的を達成するために、本発明は、発振回路に備えられた発振用トランジスタに対するバイアスポイントを、電波法の規制を遵守可能なタイミングで切り換え、これによって簡単な発振回路で周波数の異なる複数種類の発振信号を選択的に出力することができるようにしている。
【００１３】
−解決手段−
具体的には、発振信号を送信可能な送信器と、この送信器からの発振信号を受信可能な受信器とを備えた無線通信装置を前提とする。この無線通信装置に対し、送信器に、発振回路に備えられた発振用トランジスタに対するバイアスポイントを、予め定められた複数のバイアスポイント同士の間で所定時間間隔毎に切り換えるバイアス切換手段を備えさせている。
【００１４】
送信器の回路構成として具体的には、水晶振動子を備えたコルピッツ型のクリスタル発振回路を備えさせている。そして、バイアス切換手段が、水晶振動子の入力ラインに接続されて制御信号を複数段階で切り換えることにより、発振用トランジスタに対するバイアスポイントを切り換えるようにしている。
【００１５】
この特定事項により、バイアス切換手段による制御信号の切り換えに伴って、周波数の異なる複数種類の発振信号を選択的に出力することが可能となる。
【００１６】
また、バイアス切換手段によって切り換えられる各バイアスポイントの継続時間を、電波法で規制される制限時間に合わせることにより、電波法の規制を遵守しながらも、従来のＰＬＬ周波数シンセサイザを使用した場合に比べて回路部品が大幅に削減され、しかも発振信号の切り換えによって受信器に対する継続した出力が可能な構成を得ることができる。
【００１７】
更に、具体的には、バイアス切換手段として、水晶振動子の入力ラインに接続された抵抗を有する変調制御ラインを備えさせ、この変調制御ラインに対する制御信号のＨｉ，Ｌｏを切り換えることにより発振用トランジスタに対するバイアスポイントを切り換えるようにしている。つまり、周波数の異なる２種類の発振信号を交互に出力することが可能な構成としている。
【００１８】
一方、上記解決手段において採用される受信器の構成は以下のとおりである。つまり、受信器を、発振用トランジスタに対するバイアスポイントの切り換に伴って変化する発振信号の周波数の全帯域をカバーする周波数帯の発振信号を受信可能に構成している。これにより、送信器からの発振信号の周波数切り換えタイミングに同期して受信すべき周波数を切り換える構成は採用することなしに、送信器が送信する発振信号の全ての帯域に亘って信号受信が可能となる。
【００１９】
【発明の実施の形態】
以下、本発明の実施の形態を図面に基づいて説明する。本形態では、自動ドアの開放動作を行わせるためのタッチ式の起動スイッチに本発明を適用した場合について説明する。
【００２０】
上述したように、タッチ式の起動スイッチは、図示しないドアに取り付けられたスイッチ本体の内部に送信器が備えられている一方、無目等に取り付けられたコントローラの内部に受信器が備えられている。そして、人がスイッチ本体を押すことにより送信器から所定周波数の発振信号が送信され、この発振信号を受信器が無線受信する。これによってドア開放用のモータが起動してドアの開放動作が開始されるようになっている。
【００２１】
図１は、本実施形態に係る起動スイッチの送信器の発振回路１を示している。この図１に示すように、本発振回路１はコルピッツ型のクリスタル発振回路２を備えている。このクリスタル発振回路２の回路構成は周知であるため、以下では、既存回路部分については説明を簡略にする。
【００２２】
発振用トランジスタＴｒのベースとエミッタとの間には、複数のコンデンサＣ１，Ｃ２，Ｃ３及びコイルＬ１が備えられている。また、エミッタとＧＮＤとの間には抵抗Ｒ１が、ベースとＧＮＤとの間にはコンデンサＣ４がそれぞれ設けられている。更に、ベースとコレクタとの間にはコンデンサＣ５、抵抗Ｒ２及びコイルＬ２が備えられている。また、コレクタとＧＮＤとの間にはコンデンサＣ６が、コレクタと電源ラインＬｖとの間には抵抗Ｒ３が、電源ラインＬｖとＧＮＤとの間にはコンデンサＣ７がそれぞれ備えられている。
【００２３】
そして、発振用トランジスタＴｒのベースに接続される入力ラインＬｉｎには、水晶振動子３、コイルＬ３、抵抗Ｒ４、コンデンサＣ８が設けられ、且つバリキャップダイオード４が接続されている。このバリキャップダイオード４は、一端がアースされた容量可変型のものであって、入力端子ＩＮから容量可変用の制御電圧が供給されている。
【００２４】
そして、上記コンデンサＣ１，Ｃ２，Ｃ４及びバリキャップダイオード４のバラツキによる発振周波数の変動を容量可変型コンデンサＣ３によって所定の発振周波数が得られるように調整し、発振信号が出力端子ＯＵＴから出力されるようになっている。具体的に、上記水晶振動子３の振動数は８５．２６７５ＭＨｚであって、これが逓倍されて基準の発振周波数として４２６．３３７５ＭＨｚの発振信号が出力端子ＯＵＴから出力可能な回路構成とされている。
【００２５】
そして、本形態の特徴は、入力ラインＬｉｎに接続されたバイアス切換手段としての変調制御ライン５によって、発振用トランジスタＴｒに対するバイアスポイントを切り換えて、水晶振動子３の振動数が変更されるように構成されていることにある。以下、具体的に説明する。
【００２６】
この入力ラインＬｉｎにおけるコンデンサＣ８と抵抗Ｒ４との間には、一端が電源ラインＬｖに接続された抵抗Ｒ５及び一端がアースされた抵抗Ｒ６がそれぞれ接続されている。
【００２７】
上記変調制御ライン５は、抵抗Ｒ７を備えていると共に、一端が入力ラインＬｉｎにおけるコンデンサＣ８と各抵抗Ｒ５，Ｒ６の接続点Ｏ（中点）との間に接続されている。また、この変調制御ライン５の他端は図示しないマイコンの出力ポートに接続されている。このマイコンの出力ポートからはＨｉレベルの制御信号とＬｏレベルの制御信号とが予め設定された時間間隔を存して交互に出力されるようになっている。
【００２８】
このため、マイコンの出力ポートからＨｉレベルの制御信号が出力された場合には、この変調制御ライン５の抵抗Ｒ６と抵抗Ｒ７との合成抵抗値が高くなり、それに伴って入力ラインＬｉｎのバイアス電圧が上昇する。その結果、この高いバイアス電圧が水晶振動子３に印加されることになってこの水晶振動子３の振動数が比較的高い値として得られる。
【００２９】
一方、マイコンの出力ポートからＬｏレベルの制御信号が出力された場合には、この変調制御ライン５の抵抗Ｒ６と抵抗Ｒ７との合成抵抗値が低くなり、それに伴って入力ラインＬｉｎのバイアス電圧が下降する。その結果、この低いバイアス電圧が水晶振動子３に印加されることになってこの水晶振動子３の振動数が比較的低い値として得られる。
【００３０】
具体的には、マイコンの出力ポートからＨｉレベルの制御信号が３ｓｅｃだけ出力された後に、この出力ポートからＬｏレベルの制御信号が２ｓｅｃだけ出力されるようになっている。そして、Ｈｉレベルの制御信号が出力されている場合には、出力端子ＯＵＴから４２６．３４２６ＭＨｚの周波数の発振信号が送信される一方、Ｌｏレベルの制御信号が出力されている場合には、出力端子ＯＵＴから４２６．３３１６ＭＨｚの周波数の発振信号が送信されるようになっている。つまり、本発振回路１は、図２に示すように、人がスイッチ本体を押している間、４２６．３４２６ＭＨｚの発振信号（図２における発振信号Ｆ１）が３ｓｅｃ（図中の時間ｔ１）だけ出力される状態と、４２６．３３１６ＭＨｚの発振信号（図２における発振信号Ｆ２）が２ｓｅｃ（図中の時間ｔ２）だけ出力される状態とが交互に切り換わるようになっている。つまり、１１ｋＨｚの差を有する２種類の発振信号Ｆ１，Ｆ２が、マイコンの出力制御のみで得られるようになっている。これら発振信号Ｆ１，Ｆ２の出力継続時間（ｔ１，ｔ２）は、電波法が規制する継続時間（同一周波数の発振信号を継続出力可能とする最長時間）よりも短い時間として設定されたものである。
【００３１】
次に、受信器について説明する。本形態に係る起動スイッチの受信器は、上記送信器が送信する２種類の発振信号Ｆ１，Ｆ２の周波数帯を含む帯域に亘って発振信号を受信可能となっている。具体的には、上記４２６．３３１６ＭＨｚの発振信号と４２６．３４２６ＭＨｚの発振信号との両方をカバーする４２６．３３０ＭＨｚから４２６．３５０ＭＨｚに亘る発振信号の受信を可能に構成されている。
【００３２】
つまり、送信器からの発振信号の周波数切り換えタイミングに同期して受信すべき周波数を切り換える構成は採用することなしに、上記帯域に亘る発振信号の受信を可能に構成されている。
【００３３】
−実施形態の効果−
以上説明したように、本形態では、入力ラインＬｉｎに接続した変調制御ライン５に対するマイコン出力ポートからの制御信号を切り換えるのみで、周波数の異なる２種類の発振信号Ｆ１，Ｆ２を交互に出力することができる。そして、この発振信号Ｆ１，Ｆ２の切り換えタイミングは、上記電波法が規制する継続時間に合わせて各発振信号Ｆ１，Ｆ２が出力されるように設定されている。このため、電波法の規制を遵守しながらも、従来のＰＬＬ周波数シンセサイザを使用した場合に比べて回路部品が大幅に削減され、しかも発振信号の切り換えによって受信器に対する継続した出力が可能となっている。このため、無線通信装置の回路構成の簡素化と信頼性の確保とを両立することが可能である。
【００３４】
（変形例）
次に、本発明の変形例について説明する。本変形例は、電波法が規制する「送信時間制限」及び「送信休止時間制限」に対する上記発振信号Ｆ１，Ｆ２の出力継続時間（ｔ１，ｔ２）の設定について具体化したものである。以下、電波法が規制する「送信時間制限」をＴ１とし、「送信休止時間制限」をＴ２とした場合の各出力継続時間（ｔ１，ｔ２）の設定について説明する。
【００３５】
先ず、「Ｔ１＝Ｔ２」、つまり、「送信時間制限」と「送信休止時間制限」とが等しい場合には、発振信号Ｆ１，Ｆ２の出力継続時間（ｔ１，ｔ２）として、「Ｔ１＝ｔ１」、「Ｔ２＝ｔ２」に設定する。即ち、発振信号Ｆ１，Ｆ２が同一時間長さ（ｔ１，ｔ２）で交互に出力されることになる。
【００３６】
また、「Ｔ１＞Ｔ２」、つまり、「送信時間制限」の方が「送信休止時間制限」よりも長い場合には、発振信号Ｆ１，Ｆ２の出力継続時間（ｔ１，ｔ２）として、「ｔ１≦Ｔ１」且つ「ｔ１≧Ｔ２」であって「ｔ２≦Ｔ１」且つ「ｔ２≧Ｔ２」に設定する。即ち、時間Ｔ２よりも長く且つＴ１よりも短い時間間隔で発振信号Ｆ１，Ｆ２が交互に出力されることになる。
【００３７】
更に、「Ｔ１＜Ｔ２」、つまり、「送信時間制限」の方が「送信休止時間制限」よりも短い場合には、発振信号Ｆ１，Ｆ２の出力継続時間（ｔ１，ｔ２）として、「ｔ１≧Ｔ１」且つ「ｔ１≦Ｔ２」であって「ｔ２≧Ｔ１」且つ「ｔ２≦Ｔ２」に設定する。即ち、時間Ｔ１よりも長く且つＴ２よりも短い時間間隔で発振信号Ｆ１，Ｆ２が交互に出力されることになる。
【００３８】
−その他の実施形態−
上述した実施形態では、発振回路１としてコルピッツ型のクリスタル発振回路２を備えたものとしていた。本発明はこれに限らず、発振回路１としてピアース型のクリスタル発振回路を備えたものや、水晶振動子を備えないＬＣ発振回路に対して適用することも可能である。
【００３９】
また、本発明は、自動ドアの起動スイッチばかりでなく、防犯用センサや防犯カメラ起動用センサ等の無線機器にも適用可能である。
【００４０】
更に、上記実施形態では、バイアスポイントを２点設定しておき、２種類の発振信号Ｆ１，Ｆ２が交互に出力されるようにしていた。本発明はこれに限らず、３点以上のバイアスポイントを設定して、３種類以上の発振信号が選択的に出力される構成としてもよい。また、上述した各周波数はそれに限るものではない。
【００４１】
【発明の効果】
以上のように、本発明では、発振回路に備えられた発振用トランジスタに対するバイアスポイントを、電波法の規制を遵守可能なタイミングで切り換え、これによって簡単な発振回路で周波数の異なる複数種類の発振信号を選択的に出力することができるようにしている。このため、バイアス切換手段による制御信号の切り換えに伴って、周波数の異なる複数種類の発振信号を選択的に出力することが可能となり、また、各バイアスポイントの継続時間を、電波法で規制される制限時間よりも短く設定することにより、電波法の規制を遵守することができる。その結果、従来のＰＬＬ周波数シンセサイザを使用した場合に比べて回路部品が大幅に削減され、しかも発振信号の切り換えによって受信器に対する継続した出力が可能となり、無線通信装置の回路構成の簡素化と信頼性の確保とを両立することが可能になる。
【００４２】
また、受信器として、発振用トランジスタに対するバイアスポイントの切り換に伴って変化する発振信号の周波数の全帯域をカバーする周波数帯の発振信号を受信可能に構成している。このため、送信器からの発振信号の周波数切り換えタイミングに同期して受信すべき周波数を切り換える構成は採用することなしに、送信器が送信する発振信号の全ての帯域に亘って信号受信が可能となる。
【図面の簡単な説明】
【図１】実施形態に係る起動スイッチの送信器の発振回路を示す図である。
【図２】２種類の発振信号の切り換えタイミングを説明するための図である。
【符号の説明】
１　　　　発振回路
２　　　　クリスタル発振回路
３　　　　水晶振動子
５　　　　変調制御ライン（バイアス切換手段）
Ｔｒ　　　発振用トランジスタ
【図１】
2004096561.tif 000003
【図２】
2004096561.tif 000004